(57)【要約】
【課題】廉価な費用で容易に構成できるゴミ取り具を提供すること。
【解決手段】一点を支点１として開閉可能な一対の把持部１１ａ、１１ｂを有する把持部材１１と、一方の把持部１１ａの先端部に装着するゴミ押え部１２と、他方の把持部１１ｂの先端部に装着するとともにゴミ収納袋１を係止可能な角リンク状の枠体１３と、枠体１３の段差溝１３１に嵌合可能な角リング状の止め部材１４とを有してゴミ取り具１０を構成する。ゴミ取り具１０にゴミ収納袋１を取り付けてゴミ収納具５を構成する。ゴミ収納具５は、把持部材１１を閉じることによって、ゴミ押え部１２で汚物７をゴミ収納袋１に収納させる。
【選択図】図３
0003099568.tif 000002
【実用新案登録請求の範囲】
【請求項１】
一点を支点として両端部が相互に接近離隔可能に弾性を有する一対の把持部を備える把持部材と、前記把持部材の一方の把持部の先端に配置されるゴミ押え板と、前記把持部材の他方の把持部の先端に配置されるとともに前記ゴミ押え板と対向して配置される枠体と、前記枠体に着脱可能に係止する止着部材とを備えて構成され、
　前記枠体が、ゴミ収納体を装着可能に形成されるとともに、前記止着部材が、前記枠体に装着したゴミ収納体を固着可能に前記枠体に係止できるように形成されていることを特徴とするゴミ取り具。
【請求項２】
前記枠体と前記止着部材とは、それぞれ角リング状に形成されていることを特徴とする請求項１記載のゴミ取り具。
【請求項３】
前記枠体には、前記止着部材を係止する係止溝が嵌合可能に形成されていることを特徴とする請求項１又は２記載のゴミ取り具。
【請求項４】
前記ゴミ押え板の先端には、複数の歯部が形成されていることを特徴とする請求項１，２又は３記載のゴミ取り具。
【請求項５】
前記ゴミ押え板の先端部は、前記枠体側に向かって屈曲して形成されていることを特徴とする請求項１，２，３又は４記載のゴミ取り具。                                                                                
【考案の詳細な説明】
【技術分野】
【０００１】
　本考案は、屋外で使用可能なゴミ取り具に関し、さらに詳しくは、ペットの散歩中に汚物を処理するのに好適なゴミ取り具に関する。
【背景技術】
【０００２】
　犬をペットとして飼っている場合、犬を散歩に連れて行く必要があるが、その際、汚物処理をすることがマナーとして徹底されてきている。従来、汚物処理する場合、一般家庭内の箒と塵取りあるいは火挟み具で処理することが多かったが、汚物を処理することから、使用後に洗浄することが煩わしくなっていた。そのために近年、汚物を専用に処理するための携帯用掃除装置が提供されている。例えば、特許文献１によれば、携帯用掃除装置３０は、図７に示すように、一点を支点にして２軸に延設する把手部３１の先端に、汚物７を収納する容器部３２と、汚物を寄せる寄せ板部３３とをそれぞれ対向するように取り付けている。そして、把手部３１の中間部に開閉ストッパ部３４を形成して所定範囲内での反復作業を可能とするとともに、汚物７の運搬を行えるようにしている。
【特許文献１】特開平９−１９３９８号公報（２〜３頁、図１参照）
【考案の開示】
【考案が解決しようとする課題】
【０００３】
　しかし、ペットの汚物を処理する処理具は、後処理の容易なこと、また、一般家庭で使用できるものはできるだけ使用してコストのかからないものにすること、が要望されていた。特許文献１の処理具（携帯用掃除装置３０）は、把手部３１の一方には固定の容器部３２が装着されていることから、使用後は、常時、清掃しなければならず、煩わしさが残り、また容器部３２の装着や開閉ストッパ部３４の配設等、機能が多くコストが高くなっていた。
【課題を解決するための手段】
【０００４】
　本考案は、上述の課題を解決するものであり、使用後の後処理を容易にするとともに廉価に形成できるゴミ取り具を提供することを目的とするものであり、上記の目的を達成するために、請求項１記載の考案では、一点を支点として両端部が相互に接近離隔可能に弾性を有する一対の把持部を備える把持部材と、前記把持部材の一方の把持部の先端に配置されるゴミ押え板と、前記把持部材の他方の把持部の先端に配置されるとともに前記ゴミ押え板と対向して配置される枠体と、前記枠体に着脱可能に係止する止着部材とを備えて構成され、
　前記枠体が、ゴミ収納体を装着可能に形成されるとともに、前記止着部材が、前記枠体に装着したゴミ収納体を固着可能に前記枠体に係止できるように形成されていることを特徴とするものである。
【０００５】
　また、請求項２記載の考案では、前記枠体と前記止着部材とは、それぞれ角リング状に形成されていることを特徴としている。
【０００６】
　さらに、請求項３記載の考案では、前記枠体には、前記止着部材を係止する係止溝が嵌合可能に形成されていることを特徴としている。
【０００７】
　また、請求項４記載の考案では、前記ゴミ押え板の先端には、複数の歯部が形成されていることを特徴としている。
【０００８】
　また、請求項５記載の考案では、前記ゴミ押え板の先端部は、前記枠体側に向かって屈曲して形成されていることを特徴としている。
【考案の効果】
【０００９】
　請求項１記載の考案によれば、把持部材の一方の先端に装着される枠体はゴミ収納体を装着可能に形成されていることから、例えば、一般家庭用で使用するポリエチレン製のゴミ袋や紙袋等のゴミ収納体の開口周縁部を枠体の周りに引っ掛けて折り返した後、止着部材でゴミ収納体の上から重ねるように係止することによって、簡潔に構成することができ廉価な費用で製作することができる。しかも、ゴミ収納体に収納された汚物は、ゴミ袋とともに廃棄することができることから、後処理に手間をかけることなく煩わしくない。
【００１０】
　請求項２記載の考案によれば、枠体と、止着部材とを角リング状に形成していることから、下壁部を広い範囲で地面に接触することができ、幅の広いゴミや汚物をゴミ収納体に収納する際、枠体の下壁部で案内することができて収納しやすい。さらに角リング状の枠体は開口部を広く取ることができることから、犬の汚物以外でも大きなゴミを収納することができる。
【００１１】
　請求項３記載の考案によれば、ゴミ収納体の開口周縁部を折り返して装着した枠体に、その溝部に沿って、ゴミ収納体の上から止着部材を嵌め込むように係止する。これによって枠体に装着したゴミ収納体を、脱落させることなく取り付けることができることから、確実に汚物の収納処理を行うことができ、運搬も同時に行うことができる。
【００１２】
　請求項４記載の考案によれば、ゴミ押え板でゴミ又は汚物を収納する際、ゴミ押え板と地面との間に摩擦抵抗を少なくすることができることから、ゴミ押え板の先端部で地面に引っ掛かることが少なくゴミ又は汚物を収納しやすい。
【００１３】
　請求項５記載の考案によれば、汚物をゴミ収納体に収納する際に、ゴミ押え板の先端部が枠体側に向かって屈曲して形成している。そのため、汚物は屈曲部で掬い上げられることとなって、地面に貼り付けられた状態のゴミや汚物を剥してゴミ収納体に収納しやすくすることができる。
【考案を実施するための最良の形態】
【００１４】
　本考案のゴミ取り具は、一般家庭内のポリエチレン製ゴミ袋（以下ポリ袋という）や、買い物用のポリエチレン製収納袋（以下、レジ袋という）を装着して、ゴミ、特に犬の汚物を収納するために好適に使用されるものである。
【実施例１】
【００１５】
　図１に示すように、ゴミ取り具１０は、把持部材１１とゴミ押え板１２と、ゴミ収納袋１としてのポリ袋（又はレジ袋）を装着する枠体１３と、枠体１３に嵌合可能な止め部材１４とを備えて構成されている。
【００１６】
　把持部材１１は火挟み具状に形成されて、支点部１１１を中心にして広がるように延設する一対の把持部１１ａ、１１ｂを有し、把持部１１ａ、１１ｂの先端部が支点部１１１を中心にして接近離隔するように弾性状に形成されている。一対の把持部１１ａ、１１ｂは平板状に形成されていてもよいが、それぞれ縦方向に沿う中央部が、外側に向かって湾曲するように形成してもよい。支点部１１１は、一対の把持部１１ａ、１１ｂを連結するとともに一対の把持部１１ａ、１１ｂを弾性状に開閉するために湾曲状に形成されている。
【００１７】
　ゴミ押え板１２は、一方の把持部１１ａの先端にネジ部材で取り付けられて矩形板状に形成されている。ゴミ押え板１２の下端面は、地面との接触面積を小さくして摩擦抵抗を少なくするために尖状の歯部１２１を複数形成している。
【００１８】
　枠体１３は、他方の把持部１１ｂの先端に、例えばネジ部材で取り付けられて、角部を湾曲状にした略角リング状に形成されている。枠体１３の開口部はゴミ押え板と対向するように配置されるとともに、枠体１３の一方の側（ゴミ押え板１２側）の外周面には、外周径より小径の段差溝１３１が形成されている。段差溝１３１は、ゴミ押え板１２側端面にまで延設されている。この段差溝１３１には、ゴミ収納袋１の開口周縁部２が折り返して装着されるとともにゴミ収納袋１の上から止め部材１４が嵌合される。
【００１９】
　止め部材１４は、ゴミ押え板１２・枠体１３を装着した把持部材１１と別体で形成され、枠体１３に形成された段差溝１３１に嵌合可能に形成されている。つまり、止め部材１４の縦方向・横方向の内幅が、それぞれ枠体１３の段差溝の縦方向・横方向の外幅より僅かに大きく形成され、止め部材１４の幅寸法は枠体１３の段差溝１３１と略同一寸法かあるいは僅かに小さく形成されている。なお、枠体１３の段差溝１３１の端面が面取り部を形成していれば、止め部材１４を嵌合させやすいことから望ましい。
【００２０】
　次に、上記のように構成されたゴミ取り具１０に対して、一般家庭で所有しているポリ袋（又はレジ袋）を枠体１３に装着してゴミ収納袋１とする作用を図２〜３に示す。
【００２１】
　図２に示すように、ポリ袋（又はレジ袋）１の開口部側を、枠体１３における段差溝１３１側の反対側から枠体１３の開口部に挿入してポリ袋（又はレジ袋）１の開口部側周縁部２を折り返して段差溝１３１に係止させる。この状態で、図３に示すように、止め部材１４をゴミ収納袋１の開口部側周縁部２の上から、枠体１３の段差溝１３１に沿って嵌め込むと、止め部材１４の縦方向・横方向の内幅寸法が段差溝１３１の縦方向・横方向の外幅寸法より僅かに大きいことから、ポリ袋（又はレジ袋）１の開口部側周縁部２を介して段差溝１３１に嵌め込むことによって、ポリ袋（又はレジ袋）１を枠体１３にきつく押えることとなって、枠体１３に止着することができる。これによって、ポリ袋（又はレジ袋）１はゴミ押え板１２側を開口したゴミ収納袋１として形成されることとなる。
【００２２】
　ゴミ取り具１０は、ゴミ収納袋１を装着してゴミ収納具５として構成され、ゴミ収納具５は、自然状態で把持部材１１が開いた状態にあり、把持部材１１を手で閉じるように操作することによって、ゴミ押え板１２をゴミ収納袋１側に移動させてゴミや汚物をゴミ収納袋１内に収納することとなる。
【００２３】
　次に、ゴミ収納袋１をゴミ取り具１０に装着したゴミ収納具５でゴミ又は汚物を拾って収納する作用について、図４に基づいて説明する。
【００２４】
　図４（ａ）に示すように、ゴミ取り具１０の把持部材１１は自然状態で開いていることから、ゴミ又は汚物７を間にしてゴミ収納袋１とゴミ押え部１２とを対向して配置させる。この位置において、一方の把持部１１ａ、又は両把持部１１ａ・１１ｂを接近する方向に手で閉じる。ゴミ又は汚物７は、図４（ｂ）に示すように、ゴミ押え板１２でかき寄せられてゴミ収納袋１内に移動される。ゴミ収納袋１に収納されたゴミ又は汚物７は、この状態で所定のゴミ捨て場まで持ち運ばれ、図４（ｃ）に示すように、止め部材１４を枠体１３から取り外した後、ゴミ収納袋１を枠体１３から取り外してゴミ捨て場に、ゴミ収納袋１に収納されたまま廃棄される。そして、再び、新しいポリ袋又はレジ袋１を枠体１３に装着して、ゴミ取りの用意をすることとなる。
【００２５】
　従って実施例１のゴミ取り具１０は、一方の把持部１１ｂの先端に配置した枠体に一般家庭用のゴミ収納袋１を装着して使用することから、把持部材１１・ゴミ押え板１２・枠体１３・止め部材１４の極めて容易な構造で構成されることとなって廉価に製作できることとなる。また、ゴミ収納袋１がゴミ又は汚物７を収納したまま廃棄処分できることから、ゴミ処理後にゴミ収納袋１を洗浄する必要はなく、手間を省くことができ煩わしさが残ることがない。
【００２６】
　また、ゴミ押え板１２の先端部に複数の歯部１２１を形成していることから、地面との接触面積を小さくすることとなって、摩擦抵抗が少なくゴミや汚物を拾いやすい。また、地面が凸凹であったりしても、歯部１２１でかき寄せしやすくゴミや汚物をゴミ収納袋１に収納することができる。
【００２７】
　さらに、ゴミや汚物が長いものであれば、角リング状に形成された枠体１３の下壁部を、ゴミや汚物の長手方向に向けて、ゴミ押え板１２でかき寄せることによって、容易にゴミや汚物を収納することができる。
【実施例２】
【００２８】
　図５に示すように、実施例２のゴミ取り具２０は、一対の把持部２１ａ・２１ｂを備えて弾性的に開閉可能に形成される把持部材２１と、一方の把持部２１ａの先端部に装着したゴミ押え板２２と、他方の把持部２１ｂの先端部に装着した枠体２３と、枠体２３に嵌合可能な角リング状の止め部材２４とを備えて構成され、ゴミ押え板２２の先端部を枠体２３側に向かって屈曲するように形成している。そして、枠体２３にポリ袋（又はレジ袋）を装着して止め部材２４で係止すると、ゴミ収納袋１を有するゴミ収納具２５として構成されることとなる。
【００２９】
　図６に示すように、ゴミ押え板２２の屈曲部２２１は、把持部材２１を閉じたときに、屈曲部２２１が枠体１３の下壁部上面に接するように枠体２３内に挿入される。これによって、把持部材２１を閉じる方向に操作するとゴミ押え板２２の屈曲部２２１がゴミ又は汚物７を掬うように拾ってそのままゴミ収納袋１に収納することとなる。
【００３０】
　従って、このゴミ収納具２５では、ゴミ又は汚物７をゴミ押え板２２の屈曲部２２１で掬いやすく形成していることから塊状となったゴミ又は汚物７を拾って収納処理することに好適に使用することができる。
【００３１】
　なお、本考案のゴミ取り具は、上記形態に限定するものではなく、例えば、枠体と止め部材は円形リング状や、多角リング状に形成してもよく、さらに、枠体の段差溝を枠体の内周面に形成して止め部材を枠体の内周面に嵌合するように形成してもよい。また、枠体は、ポリ袋やレジ袋だけでなく紙袋であっても、装着することができる。
【図面の簡単な説明】
【００３２】
【図１】本考案の一形態によるゴミ取り具を示す斜視図である。
【図２】図１のゴミ取り具にゴミ収納袋を装着する状態を示す斜視図である。
【図３】図１のゴミ取り具にゴミ収納袋を装着してゴミ収納具となす斜視図である。
【図４】図３におけるゴミ取り具でゴミ又は汚物を収納する作用を示す図である。
【図５】別の形態によるゴミ収納具を示す正面図である。
【図６】図５におけるゴミ収納具の作用を示す正面図である。
【図７】従来の携帯用掃除装置を示す正面図である。
【符号の説明】
【００３３】
　１　ゴミ収納袋（ゴミ収納体）
　５　ゴミ収納具
　７　ゴミ又は汚物
　１０　ゴミ取り具
　１１　把持部材
　１１ａ、１１ｂ　把持部
　１２　ゴミ押え板
　１３　枠体
　１３１　段差溝（係止溝）
　１４　止め部材（止着部材）
　２２１　屈曲部
【図１】
0003099568.tif 000003
【図２】
0003099568.tif 000004
【図３】
0003099568.tif 000005
【図４】
0003099568.tif 000006
【図５】
0003099568.tif 000007
【図６】
0003099568.tif 000008
【図７】
0003099568.tif 000009